(57)【要約】【課題】コストアップを避けながら利用者の違和感を解消することが可能な表示装置を提供する。【解決手段】表示手段１と、この表示手段１に所定の表示情報を表示させると共に所定の表示更新周期（タイミング）にて前記表示情報を更新する制御手段３と、表示手段１を照明する照明手段２と、この照明手段２の明るさを変更する調光手段４とを備えた表示装置において、制御手段３は調光手段４からの入力情報に基づいて照明手段２の明るさを選定し、前記表示情報を更新する表示更新周期に合わせて照明手段２の明るさを変更してなる。【選択図】図１
2008298926.tif 000002
【特許請求の範囲】
【請求項１】
表示手段と、
この表示手段に所定の表示情報を表示させると共に所定のタイミングにて前記表示情報を更新する制御手段と、
前記表示手段またはその周囲に配置される他の表示手段を照明する照明手段と、
この照明手段の明るさを変更する調光手段とを備えた表示装置において、
前記制御手段は前記調光手段からの入力情報に基づいて前記照明手段の明るさを選定し、前記表示情報を更新する前記タイミングに合わせて前記照明手段の明るさを変更してなることを特徴とする表示装置。
【請求項２】
前記制御手段は、前記調光手段による調光レベルを決定する第１の処理と、この第１の処理によって決定した前記調光レベルに基づいて前記照明手段の明るさを制御するための出力を前記第１の処理から所定時間経過後の前記タイミングに一致させる第２の処理を実行することを特徴とする請求項１記載の表示装置。
【発明の詳細な説明】
【技術分野】
【０００１】
本発明は、例えば各種車両に適用される表示装置に関し、特に表示手段の明るさを変更可能な表示装置に係わる。
【背景技術】
【０００２】
この種の表示装置として、例えば下記特許文献１に記載されているものが知られている。
この表示装置は、液晶パネルからなる表示手段と、この表示手段に所定の表示情報を表示させると共に表示情報を所定のタイミングにて更新するマイクロコンピュータからなる制御手段と、表示手段を照明するバックライトからなる照明手段と、この照明手段の明るさを変更する調光手段とを備えており、制御手段は、調光手段からの入力情報に基づいて照明手段の明るさを変更してなるものである。
【特許文献１】特開２００１−２７７９０５号公報
【発明の開示】
【発明が解決しようとする課題】
【０００３】
ところで、表示手段に対して、所定の表示情報を表示させるための描画処理にはある程度の処理時間がかかり、この結果、表示情報の更新周期（タイミング）として例えば１００ｍｓを要する場合があり、このように更新周期が遅い表示装置において、周囲の明るさに応じて調光手段を操作すると、明るさの変化が先行してしまい、利用者が違和感を感じてしまうという問題があった。またこの問題を解決する手法として、性能の高いマイクロコンピュータを使用することが考えられるが、コストアップを避けられないという問題がある。
【０００４】
本発明は、この点に鑑みてなされたもので、コストアップを避けながら利用者の違和感を解消することが可能な表示装置を提供するものである。
【課題を解決するための手段】
【０００５】
本発明は、前記目的を達成するため、表示手段と、この表示手段に所定の表示情報を表示させると共に所定のタイミングにて前記表示情報を更新する制御手段と、前記表示手段またはその周囲に配置される他の表示手段を照明する照明手段と、この照明手段の明るさを変更する調光手段とを備えた表示装置において、前記制御手段は前記調光手段からの入力情報に基づいて前記照明手段の明るさを選定し、前記表示情報を更新する前記タイミングに合わせて前記照明手段の明るさを変更してなることを特徴とする。
【０００６】
また本発明は、前記制御手段が、前記調光手段による調光レベルを決定する第１の処理と、この第１の処理によって決定した前記調光レベルに基づいて前記照明手段の明るさを制御するための出力を前記第１の処理から所定時間経過後の前記タイミングに一致させる第２の処理を実行することを特徴とする。
【発明の効果】
【０００７】
本発明によれば、初期の目的を達成でき、コストアップを避けながら利用者の違和感を解消することが可能な表示装置を提供することができる。
【発明を実施するための最良の形態】
【０００８】
図１及び図２は、本発明の一実施形態を示すもので、図１は本発明による表示装置のシステム構成を示すブロック図、図２は同実施形態の動作を説明するタイミング図である。
【０００９】
図１において、本実施形態による表示装置は、例えば自動車に搭載される計器装置に組み込まれ、走行距離、車速、ナビゲーション、交通情報等の走行情報や車両各部の状態を警報もしくは報知する車両情報を表示するもので、表示手段１と、照明手段２と、制御手段３と、調光手段４とを備えている。
【００１０】
表示手段１は、例えばドットマトリックス型の液晶パネルからなるフラットディスプレイパネルを適用できる。
【００１１】
照明手段２は、例えば複数個の発光ダイオードからなる光源と、この光源からの光を表示手段１に導くライドガイドとで構成される面光源装置を適用できる。
【００１２】
制御手段３は、例えば、マイクロコンピュータを適用でき、ＣＡＮ（Ｃｏｎｔｒｏｌｌｅｒ  Ａｒｅａ  Ｎｅｔｗｏｒｋ）通信ケーブルや図示しない配線によって車両の各種機器などと接続され、前記走行情報や前記車両情報（以下、まとめて表示情報という）に関する入力信号を受信し、これら入力信号に応じて表示手段１に前記表示情報を表示させると共に所定のタイミング（更新周期）にて前記表示情報を更新する。さらに制御手段３は、調光手段からの調光情報に係わる調光信号を受信し、照明手段２の明るさを制御する。
【００１３】
また、制御手段３は、各種情報に基づいて演算処理するためのＣＰＵと、このＣＰＵにおける演算処理結果等を一時的に格納する読出し及び書換え可能なＲＡＭや、制御プログラムや制御データを格納したＲＯＭから構成される記憶部と、前記各種情報や制御信号、クロック信号やラッチ信号などをやり取りするためにバス接続された入出力インターフェイスと、を備えている。
【００１４】
調光手段４は、例えばロータリエンコーダやポテンショメータを適用でき、利用者が図示しないノブを回転操作することにより、前記ノブの回転操作に応じた調光信号（パルス信号）を前記調光情報として制御手段３に出力し、制御手段３は、入力した前記調光信号に基づいて照明手段２の明るさを変更する。
【００１５】
次に図２に基づいて本実施形態のよる表示装置の動作の一例を説明する。
図２において、横軸は時間経過であり、時刻ｔ１，ｔ２，ｔ３・・・は、制御手段３によって制御される前記表示情報の表示更新周期を示し、制御手段３は、前記入力信号を受信して演算処理し、時刻ｔ１，ｔ２，ｔ３・・・の表示更新周期にて、表示手段１に表示される前記表示情報（表示内容）を更新すると共に前記調光信号を受信して演算処理してそのときの調光レベルを判定し、時刻ｔ１，ｔ２，ｔ３・・・の表示更新周期に合わせて照明手段２の明るさを調整する。なお表示更新周期の一周期は例えば１００ｍｓに設定されている。
【００１６】
具体的には、時刻ｔ１において、調光手段４の輝度（明るさ）設定は、調光レベル「１〜１０」（数字は明るさを示す）中、調光レベル「７」に設定されている。
【００１７】
制御手段３は、時刻ｔ１における前記調光信号及び前記入力信号に基づいて、調光レベルとしては「７」、前記表示情報としては時刻ｔ１時の表示データなる輝度判定・表示用データ（第１の中間データ）を取得して保存する（第１の処理）。このように取得保存された前記輝度判定・表示用データは、表示出力用データ（第２の中間データ）として、次の時刻ｔ２における表示出力処理に用いられる。従って時刻ｔ１における前記表示出力用データは、時刻ｔ１より一周期前の時刻ｔ０における前記輝度判定・表示用データとなる。
【００１８】
また制御手段３は、時刻ｔ１において取得した前記輝度判定・表示用データに基づいて時刻ｔ１における前記表示情報の描画処理（画面編集処理）を実行し、この描画処理中、表示手段１は画面編集状態となり、表示手段１の表示画面には、時刻ｔ１における前記表示出力用データ（時刻ｔ１より一周期前の時刻における前記輝度判定・表示用データ）に基づく前記表示情報が表示される。
【００１９】
また制御手段３は、時刻ｔ１における前記表示出力用データに基づいて、調光レベル「７」に相当するＰＷＭ信号を出力し、これにより照明手段２の明るさが前記調光レベル「７」相当に調整される。
【００２０】
次に時刻ｔ２において、調光手段４の輝度（明るさ）設定は、時刻ｔ１における調光レベル「７」から３ステップ大きい調光レベル「１０」に設定されている。
【００２１】
制御手段３は、時刻ｔ２における前記調光信号及び前記入力信号に基づいて、調光レベルとしては「１０」、前記表示情報としては時刻ｔ２時の表示データなる輝度判定・表示用データ（第１の中間データ）を取得して保存する（第１の処理）。このように取得保存された前記輝度判定・表示用データは、表示出力用データ（第２の中間データ）として、次の時刻ｔ３における表示出力処理（画面編集の結果を表示手段１に出力する処理）に用いられる。従って時刻ｔ２における前記表示出力用データは、時刻ｔ１における前記輝度判定・表示用データとなる。
【００２２】
また制御手段３は、時刻ｔ２において取得した前記輝度判定・表示用データに基づいて時刻ｔ２における前記表示情報の描画処理（画面編集処理）を実行し、この描画処理中、表示手段１の表示画面には、時刻ｔ２における前記表示出力用データ（時刻ｔ１における前記輝度判定・表示用データ）に基づく前記表示情報が表示される。
【００２３】
また制御手段３は、時刻ｔ２における前記表示出力用データに基づいて、時刻ｔ１と同じ前記調光レベル「７」に相当するＰＷＭ信号を出力し、これにより照明手段２の明るさが前記調光レベル「７」に維持される。
【００２４】
次に時刻ｔ３において、調光手段４の輝度（明るさ）設定は、時刻ｔ２と同じ調光レベル「１０」に設定されている。
【００２５】
制御手段３は、時刻ｔ３における前記調光信号及び前記入力信号に基づいて、調光レベルとしては「１０」、前記表示情報としては時刻ｔ３時の表示データなる輝度判定・表示用データ（第１の中間データ）を取得して保存する（第１の処理）。このように取得保存された前記輝度判定・表示用データは、表示出力用データ（第２の中間データ）として、次の時刻ｔ４における表示出力処理に用いられる。従って時刻ｔ３における前記表示出力用データは、時刻ｔ２における前記輝度判定・表示用データとなる。
【００２６】
また制御手段３は、時刻ｔ３において取得した前記輝度判定・表示用データに基づいて時刻ｔ３における前記表示情報の描画処理（画面編集処理）を実行し、この描画処理中、表示手段１の表示画面には、時刻ｔ３における前記表示出力用データ（時刻ｔ２における前記輝度判定・表示用データ）に基づく前記表示情報が表示される。
【００２７】
また制御手段３は、時刻ｔ３における前記表示出力用データに基づいて、調光レベル「１０」に相当するＰＷＭ信号を出力し、これにより照明手段２の明るさが前記調光レベル「１０」相当に調整される。
【００２８】
ここで、時刻ｔ１では調光レベル「７」であった調光手段４の輝度設定は、時刻ｔ２にて調光レベル「１０」に変更されるが、この設定変更に応じて照明手段２の明るさが実際に変更される（調光手段４の輝度設定が照明手段２に反映される）のは、時刻ｔ２から一周期（所定時間）経過後の時刻ｔ３の更新タイミングとなっている。
【００２９】
次に時刻ｔ４において、調光手段４の輝度（明るさ）設定は、時刻ｔ３に対して２ステップ小さい調光レベル「８」に設定されている。
【００３０】
制御手段３は、時刻ｔ４における前記調光信号及び前記入力信号に基づいて、調光レベルとしては「８」、前記表示情報としては時刻ｔ４時の表示データなる輝度判定・表示用データ（第１の中間データ）を取得して保存する（第１の処理）。このように取得保存された前記輝度判定・表示用データは、表示出力用データ（第２の中間データ）として、次の時刻ｔ５における表示出力処理に用いられる。従って時刻ｔ４における前記表示出力用データは、時刻ｔ３における前記輝度判定・表示用データとなる。
【００３１】
また制御手段３は、時刻ｔ４において取得した前記輝度判定・表示用データに基づいて時刻ｔ４おける前記表示情報の描画処理を実行し、この描画処理中、表示手段１は画面編集状態となり、表示手段１の表示画面には、時刻ｔ４における前記表示出力用データ（時刻ｔ３における前記輝度判定・表示用データ）に基づく前記表示情報が表示される。
【００３２】
また制御手段３は、時刻ｔ４における前記表示出力用データに基づいて、調光レベル「１０」に相当するＰＷＭ信号を出力し、これにより照明手段２の明るさは前記調光レベル「１０」相当に維持される。
【００３３】
次に時刻ｔ５において、調光手段４の輝度（明るさ）設定は、時刻ｔ４と同じ調光レベル「８」に設定されている。
【００３４】
制御手段３は、時刻ｔ５における前記調光信号及び前記入力信号に基づいて、調光レベルとしては「８」、前記表示情報としては時刻ｔ５時の表示データなる輝度判定・表示用データ（第１の中間データ）を取得して保存する（第１の処理）。このように取得保存された前記輝度判定・表示用データは、表示出力用データ（第２の中間データ）として、次の時刻における表示出力処理に用いられる。従って時刻ｔ５における前記表示出力用データは、時刻ｔ４における前記輝度判定・表示用データとなる。
【００３５】
また制御手段３は、時刻ｔ５において取得した前記輝度判定・表示用データに基づいて時刻ｔ５おける前記表示情報の描画処理（画面編集処理）を実行し、この描画処理中、表示手段１は画面編集状態となり、表示手段１の表示画面には、時刻ｔ５における前記表示出力用データ（時刻ｔ４における前記輝度判定・表示用データ）に基づく前記表示情報が表示される。
【００３６】
また制御手段３は、時刻ｔ５における前記表示出力用データに基づいて、調光レベル「８」に相当するＰＷＭ信号を出力し、これにより照明手段２の明るさは前記調光レベル「８」相当に調整される。
【００３７】
ここでも、時刻ｔ３では調光レベル「１０」であった調光手段４の輝度設定は、時刻ｔ４にて調光レベル「８」に変更されるが、この設定変更に応じて照明手段２の明るさが実際に変更される（調光手段４の輝度設定が照明手段２に反映される）のは、時刻ｔ４から一周期（所定時間）経過後の時刻ｔ５の更新タイミングとなっている。
【００３８】
以上の通り、本実施形態では、表示手段１と、この表示手段１に所定の表示情報を表示させると共に所定の表示更新周期（タイミング）にて前記表示情報を更新する制御手段３と、表示手段１を照明する照明手段２と、この照明手段２の明るさを変更する調光手段４とを備えた表示装置において、制御手段３は調光手段４からの入力情報に基づいて照明手段２の明るさを選定し、前記表示情報を更新する表示更新周期に合わせて照明手段２の明るさを変更してなることにより、コストアップを避けながら利用者の違和感を解消することができる。
【００３９】
すなわち、前記表示情報を更新する表示更新周期に合わせて照明手段２の明るさを変更することにより、表示更新のタイミングと、照明手段２の明るさ変更のタイミングを合わせる（一致させる）ことができるので、描画処理性能の高い高価な制御手段を採用しなくとも、表示更新のタイミングに対して照明手段２の明るさ変化が先行することで利用者に違和感を与えてしまうといった問題を解消することができる。
【００４０】
また本実施形態では、制御手段３が、表示更新周期（表示更新タイミング）に合わせて調光手段４による調光レベルを決定する第１の処理と、この第１の処理によって決定した前記調光レベルに基づいて照明手段２の明るさを制御するためのＰＷＭ信号出力を前記第１の処理から一周期経過後（所定時間経過後）のタイミングに一致させる第２の処理を実行することにより、プログラム作成を容易とし、コストダウンを達成することができる。
【００４１】
なお本実施形態では、調光手段４としてロータリエンコーダやポテンショメータを適用したが、調光手段４は、照明手段２の明るさを変更するトリガとなるものであれば、任意であり、アップダウンスイッチや前照灯のオンオフに連動させて照明手段２の明るさを変更可能なライトスイッチでもよい。
【００４２】
また本実施形態では、照明手段２は表示手段１を照明するものであったが、この表示手段１の周囲に配置される任意の他の表示手段（例えば計器装置）を照明するものであってもよい。この場合、表示手段１の表示更新周期（タイミング）と、他の表示手段の輝度変更タイミングとが一致するため、本実施形態と同様のメリットを得ることができる。
【図面の簡単な説明】
【００４３】
【図１】本発明の一実施形態に係わる表示装置のシステム構成を示すブロック図。
【図２】同実施形態の動作を説明するタイミング図。
【符号の説明】
【００４４】
１  表示手段
２  照明手段
３  制御手段
４  調光手段
ｔ１，ｔ２，ｔ３，ｔ４，ｔ５  時刻
【図１】
2008298926.tif 000003
【図２】
2008298926.tif 000004